(57)【要約】【課題】既存の椅子でも前後方向に容易に移動させるとともに、必要な位置で容易に停止固定することができる理美容又は医療用椅子のスライド装置を提供すること。【解決手段】椅子１を設置する台車２に車輪３及びガイド機構４を付設して固定ベース５上で前後に移動するようにした理美容又は医療用椅子のスライド装置であって、固定ベース５に、複数の係止部６１を有する位置決めプレート６を配設するとともに、台車２に、該位置決めプレート６に係止することにより台車２を固定するロック部材７を係脱可能に配設する。【選択図】図１
0003124670.tif 000002
【実用新案登録請求の範囲】
【請求項１】
椅子を設置する台車に車輪及びガイド機構を付設して固定ベース上で前後に移動するようにした理美容又は医療用椅子のスライド装置であって、台車又は固定ベースの一方に、複数の係止部を有する位置決めプレートを配設するとともに、台車又は固定ベースのもう一方に、該位置決めプレートに係止することにより台車を固定するロック部材を係脱可能に配設したことを特徴とする理美容又は医療用椅子のスライド装置。
【請求項２】
前記ロック部材を操作する操作機構を、伸縮可能な内外のアームを縮小側に付勢して配設し、縮小状態から所定位置まで引き出すことにより伸長状態を保持するとともに、該伸長状態からさらに引き出すことにより縮小状態となるステーと、該ステーとロック部材とを連結し、アームの伸縮によりロック部材を係脱させるリンク機構と、前記ステーのアームにロッドを接続し、該ロッドの押し込みによりアームの引き出し操作を行う操作部とで構成したことを特徴とする請求項１記載の理美容又は医療用椅子のスライド装置。
【請求項３】
台車から前方に、先端に電源コードの固定部を備えたばね棒からなるコード受け部を延設したことを特徴とする請求項１又は２記載の理美容又は医療用椅子のスライド装置。
【請求項４】
台車と固定ベースとの隙間を塞ぐブラシを台車の前部に幅方向に設けるとともに、台車の後退位置で該ブラシの後に立設する所定高さのリブを固定ベースに幅方向に設けたことを特徴とする請求項１、２又は３記載の理美容又は医療用椅子のスライド装置。
【考案の詳細な説明】
【技術分野】
【０００１】
本考案は、理美容又は医療用椅子のスライド装置に関し、特に、既存の椅子でも前後方向に容易に移動させるとともに、必要な位置で容易に停止固定することができる理美容又は医療用椅子のスライド装置に関するものである。
【背景技術】
【０００２】
理容所及び美容所において、切髪や洗髪、髭そり等の施術をする際、理美容椅子を回転させたり、背凭れを傾倒させたり、足受けを前方に出したりしているが、その際、店舗内にある洗髪設備や並列して設置された理美容椅子と接近する場合がある。
【０００３】
また、高齢者や身体障害者の洗髪施術をする際、個人個人の座高の差に対応して洗髪台と理美用椅子の位置関係を変更する必要がある。
【０００４】
さらに、理美容椅子以外の各種椅子も、施術技術や使用方法の多様化が進む中で椅子の設置位置と周辺の設備や機器との位置関係を変更する必要があるが、従来の設備では専用に製作された椅子以外は位置関係の変更はできなかった。
【考案の開示】
【考案が解決しようとする課題】
【０００５】
本考案は、上記従来の理美容又は医療用椅子が有する問題点に鑑み、既存の椅子でも前後方向に容易に移動させるとともに、必要な位置で容易に停止固定することができる理美容又は医療用椅子のスライド装置を提供することを目的とする。
【課題を解決するための手段】
【０００６】
上記目的を達成するため、本考案の理美容又は医療用椅子のスライド装置は、椅子を設置する台車に車輪及びガイド機構を付設して固定ベース上で前後に移動するようにした理美容又は医療用椅子のスライド装置であって、台車又は固定ベースの一方に、複数の係止部を有する位置決めプレートを配設するとともに、台車又は固定ベースのもう一方に、該位置決めプレートに係止することにより台車を固定するロック部材を係脱可能に配設したことを特徴とする。
【０００７】
この場合において、前記ロック部材を操作する操作機構を、伸縮可能な内外のアームを縮小側に付勢して配設し、縮小状態から所定位置まで引き出すことにより伸長状態を保持するとともに、該伸長状態からさらに引き出すことにより縮小状態となるステーと、該ステーとロック部材とを連結し、アームの伸縮によりロック部材を係脱させるリンク機構と、前記ステーのアームにロッドを接続し、該ロッドの押し込みによりアームの引き出し操作を行う操作部とで構成することができる。
【０００８】
また、台車から前方に、先端に電源コードの固定部を備えたばね棒からなるコード受け部を延設することができる。
【０００９】
また、台車と固定ベースとの隙間を塞ぐブラシを台車の前部に幅方向に設けるとともに、台車の後退位置で該ブラシの後に立設する所定高さのリブを固定ベースに幅方向に設けることができる。
【考案の効果】
【００１０】
本考案の理美容又は医療用椅子のスライド装置によれば、椅子を設置する台車に車輪及びガイド機構を付設して固定ベース上で前後に移動するようにした理美容又は医療用椅子のスライド装置において、台車又は固定ベースの一方に、複数の係止部を有する位置決めプレートを配設するとともに、台車又は固定ベースのもう一方に、該位置決めプレートに係止することにより台車を固定するロック部材を係脱可能に配設することにより、回転椅子を台車に固定するだけで簡単に前後方向に移動させるとともに、移動した椅子を必要な位置で停止固定することができる。
【００１１】
また、ロック部材を操作する操作機構を、伸縮可能な内外のアームを縮小側に付勢して配設し、縮小状態から所定位置まで引き出すことにより伸長状態を保持するとともに、該伸長状態からさらに引き出すことにより縮小状態となるステーと、該ステーとロック部材とを連結し、アームの伸縮によりロック部材を係脱させるリンク機構と、前記ステーのアームにロッドを接続し、該ロッドの押し込みによりアームの引き出し操作を行う操作部とで構成することにより、ロッドを押す一動作により椅子の固定を容易に解除して移動させるとともに、ロッドをもう１回押す一動作により椅子を容易に停止固定することができる。
【００１２】
また、台車から前方に、先端に電源コードの固定部を備えたばね棒からなるコード受け部を延設することにより、ばね棒によりある程度の自由度を確保しながら、椅子の移動による電気コードの台車下への巻き込みを防止することができる。
【００１３】
また、台車と固定ベースとの隙間を塞ぐブラシを台車の前部に幅方向に設けるとともに、台車の後退位置で該ブラシの後に立設する所定高さのリブを固定ベースに幅方向に設けることにより、椅子の移動による切髪等ごみの台車下への侵入を防止することができる。
【考案を実施するための最良の形態】
【００１４】
以下、本考案の理美容又は医療用椅子のスライド装置の実施の形態を、図面に基づいて説明する。
【実施例１】
【００１５】
図１〜図４に、本考案の理美容又は医療用椅子のスライド装置の一実施例を示す。
この理美容又は医療用椅子のスライド装置は、椅子１を設置する台車２に車輪３及びガイド機構４を付設して固定ベース５上で前後に移動するようにしている。
そして、この理美容又は医療用椅子のスライド装置は、固定ベース５に、複数の係止部６１を有する位置決めプレート６を配設するとともに、台車２に、該位置決めプレート６に係止することにより台車２を固定するロック部材７を係脱可能に配設している。
【００１６】
ロック部材７を操作する操作機構は、伸縮可能な内外のアーム８１を縮小側に付勢して配設し、縮小状態から所定位置まで引き出すことにより伸長状態を保持するとともに、該伸長状態からさらにアーム８１を引き出すことにより縮小状態となるステー８と、該ステー８とロック部材７とを連結し、アーム８１の伸縮によりロック部材７を係脱させるリンク機構９と、該リンク機構９を介してステー８のアーム８１にロッド１６を接続し、該ロッド１６の押し込みによりアーム８１の引き出し操作を行う操作部１０とを備えている。
【００１７】
椅子１は、例えば、手動や電動、油空圧等により、回転させたり、背凭れを傾倒させたり、足受けを前方に出したりすることができる。
椅子１は、回転軸受け座１ａが台車２に固定されており、今まで使用していた椅子でもその回転軸受け座を台車２に固定するだけで、前後の移動と任意の位置での固定が簡単に行えるようになっている。
【００１８】
台車２は、４つの車輪３と、台車２を前後に真っ直ぐ案内するガイド機構４とを備えている。
ガイド機構４は、台車２の底部に前後方向に配設されたレール４１と、固定ベース５から該レール４１を挟むように配設された４つのガイドローラ４２とを備えている。
図３（ｂ）に示すように、レール４１の下端部には、外側に張り出した鍔部４３が設けられるとともに、固定ベース５には、この鍔部４３に被さるように押さえ片４４が設けられており、この鍔部４３と押さえ片４４とにより台車２の抜け止めが図られている。
また、固定ベース５は、アンカーボルト等で床に固定できるため、椅子１に人や物がぶつかったり、地震の際にも椅子１の転倒を抑制でき安定した設置をすることができる。
なお、台車２の移動範囲は、台車２側のストッパ２１が、固定ベース５側のストッパ５１に当接することにより制限されている。
【００１９】
一方、台車２から前方には、先端に電源コードの固定部１１を備えたばね棒１２からなるコード受け部１３が延設されており、ばね棒１２によりある程度の自由度を確保しながら、椅子１の移動による電気コードの台車下への巻き込みを防止するようにしている。
固定部１１は、その円環部を開閉することにより、電気コードを着脱可能に保持することができる。
また、図２（ａ）に示すように、台車２の前部には、台車２と固定ベース５との隙間を塞ぐブラシ１４が台車２の幅方向に設けられるとともに、固定ベース５には、台車２の後退位置で該ブラシ１４の後に立設する所定高さのリブ１５が固定ベース５の幅方向に設けられている。
【００２０】
位置決めプレート６は、椅子１の移動方向に切欠からなる複数の係止部６１を備えた杆状のものからなり、本実施例では、固定ベース５側に固定されている。
ロック部材７は、椅子１の移動方向に直交する方向に配設されたピンからなり、本実施例では、台車２側に摺動可能に配設されている。
なお、位置決めプレート６を台車側に配設したり、ロック部材７を固定ベース側に配設したりすることも可能であり、その場合は、ロック部材の操作機構は、固定ベース側に配設される。
【００２１】
ロック部材の操作機構は、本実施例では、台車２側に配設されている。
ステー８は、伸縮可能な内外のアーム８１を、縮小状態から所定位置まで引き出すことにより伸長状態を保持するとともに、該伸長状態からさらに内アーム８１ａを引き出すことにより縮小状態となる。
なお、ステー８は縮小側に付勢されているが、この付勢は、リンク機構９に付設された引っ張りばね８２を、内アーム８１ａに作用させることによりなされている。
このアームの伸長状態を保持する機構は、図３（ｃ）に示すように、内アーム８１ａの基部に設けた異形のコマ８３が、外アーム８１ｂの溝の終端に形成された回転溝８４の異形の凹凸に当たって回転することによりなされるものであり、コマ８３の回転後の姿勢によって、該コマ８３が回転溝８４の基部側に係止したり離脱したりする公知の機構である。
【００２２】
リンク機構９は、本実施例では、Ｌ型のリンクアーム９１の折曲部を支点９２として台車２に揺動可能に軸着し、該リンクアーム９１の一端をステー８の内アーム８１ａに枢着するとともに、リンクアーム９１の他端に、ロック部材７の基部をピンを介して遊嵌し回動可能に支持している。
リンクアーム９１の支点９２と内アーム８１ａの枢着部との間には、内アーム８１ａを縮小側に付勢する引っ張りばね８２が止着されるとともに、操作部１０のロッド１６が枢着されている。
【００２３】
操作部１０は、リンクアーム９１に先端が枢着されたロッド１６と、台車２の後部に水平方向に揺動可能に枢着されたフットプレート１７とを備え、該フットプレート１７の揺動先端側にロッド１６の基部を枢着している。
ロッド１６の先端部には、ステー８の内アーム８１ａがリンクアーム９１を介して接続されており、フットプレート１７を足で蹴ることにより、ロッド１６を押し込み操作し、内アーム８１ａの引き出しを行うことができる。
すなわち、この操作部１０は、フットプレート１７を蹴りロッド１６を押す一動作により、ステー８のアーム８１を伸長させ、ロック部材７を位置決めプレート６から離脱させて、椅子１の固定を解除することができる。
そして、フットプレート１７を蹴りロッド１６をもう１回押す一動作により、ステー８のアーム８１を縮小させ、ロック部材７を位置決めプレート６に係合させて、椅子１を停止固定することができる。
【００２４】
かくして、本実施例の理美容又は医療用椅子のスライド装置は、椅子１を設置する台車２に車輪３及びガイド機構４を付設して固定ベース５上で前後に移動するようにした理美容又は医療用椅子のスライド装置において、台車又は固定ベース５の一方に、複数の係止部６１を有する位置決めプレート６を配設するとともに、台車又は固定ベース５のもう一方に、該位置決めプレート６に係止することにより台車２を固定するロック部材７を係脱可能に配設することにより、回転椅子を台車２に固定するだけで簡単に前後方向に移動させるとともに、移動した椅子１を必要な位置で停止固定することができる。
【００２５】
また、ロック部材を操作する操作機構を、伸縮可能な内外のアーム８１を縮小側に付勢して配設し、縮小状態から所定位置まで引き出すことにより伸長状態を保持するとともに、該伸長状態からさらに引き出すことにより縮小状態となるステー８と、該ステー８とロック部材７とを連結し、アーム８１の伸縮によりロック部材７を係脱させるリンク機構９と、前記ステー８のアーム８１にロッド１６を接続し、該ロッド１６の押し込みによりアーム８１の引き出し操作を行う操作部１０とで構成することにより、ロッド１６を押す一動作により椅子１の固定を容易に解除して移動させるとともに、ロッド１６をもう１回押す一動作により椅子１を容易に停止固定することができる。
【００２６】
また、台車２から前方に、先端に電源コードの固定部１１を備えたばね棒１２からなるコード受け部１３を延設することにより、ばね棒１２によりある程度の自由度を確保しながら、椅子１の移動による電気コードの台車下への巻き込みを防止することができる。
【００２７】
また、台車２と固定ベース５との隙間を塞ぐブラシ１４を台車２の前部に幅方向に設けるとともに、台車２の後退位置で該ブラシ１４の後に立設する所定高さのリブ１５を固定ベース５に幅方向に設けることにより、椅子１の移動による切髪等ごみの台車下への侵入を防止することができる。
【００２８】
以上、本考案の理美容又は医療用椅子のスライド装置について、その実施例に基づいて説明したが、本考案は上記実施例に記載した構成に限定されるものではなく、実施例に記載した構成を適宜組み合わせるなど、その趣旨を逸脱しない範囲において適宜その構成を変更することができる。
【産業上の利用可能性】
【００２９】
本考案の理美容又は医療用椅子のスライド装置は、ロッドを押す一動作により、椅子の固定と解除を行えることから、椅子の前後移動を頻繁に行う理美容又は医療用椅子として好適に用いることができ、また、新設の椅子のほか、既存の椅子に対しても適用することができる。
【図面の簡単な説明】
【００３０】
【図１】本考案の理美容又は医療用椅子のスライド装置の一実施例を示し、（ａ）はその平面図、（ｂ）は（ａ）を紙面の上側から見た図、（ｃ）は同紙面の左側から見た図である。
【図２】同スライド装置を示し、（ａ）は台車の略中央断面図、（ｂ）は台車のコード受け部付近の断面図、（ｃ）は操作機構の引っ張りばね付近の断面図、（ｄ）は操作機構のロッド付近の断面図、（ｅ）は操作機構のロック部材を離脱させた状態を示す平面透視図である。
【図３】（ａ）はガイド機構のガイドローラ付近を示す断面図、（ｂ）はガイド機構の鍔部と押さえ片付近を示す断面図、（ｃ）はステーの背面図である。
【図４】同実施例のスライド装置使用した理美容又は医療用椅子を示す側面図である。
【符号の説明】
【００３１】
１    椅子
１ａ  回転軸受け座
２    台車
２１  ストッパ
３    車輪
４    ガイド機構
４１  レール
４２  ガイドローラ
４３  鍔部
４４  押さえ片
５    固定ベース
５１  ストッパ
６    位置決めプレート
６１  係止部
７    ロック部材
８    ステー
８１  アーム
８２  引っ張りばね
９    リンク機構
９１  リンクアーム
９２  支点
１０  操作部
１１  固定部
１２  ばね棒
１３  コード受け部
１４  ブラシ
１５  リブ
１６  ロッド
１７  フットプレート
【図１】
0003124670.tif 000003
【図２】
0003124670.tif 000004
【図３】
0003124670.tif 000005
【図４】
0003124670.tif 000006